(57)【要約】【課題】    ファイルの検索を容易に行うことができるファイル管理装置を提供する。【解決手段】    複数のペーパレス記録計で取得された測定データが記録されたファイルを記録するデータ記録部を備え、このファイルの内容を表示部に表示するファイル管理装置において、  複数の検索条件を記録する条件記録部と、  この複数の検索条件に従って前記データ記録部に記憶されたファイル内容を検索する検索プログラムと、  複数の検索条件に適合したファイルをリスト化するリスト作成部と、  このリスト作成部の指示に基づいてリスト化されたファイルを前記表示部に表示する表示処理部と  を備える。【選択図】                    図１
2010085342.tif 000002
【特許請求の範囲】
【請求項１】
複数のペーパレス記録計で取得された測定データが記録されたファイルを記録するデータ記録部を備え、このファイルの内容を表示部に表示するファイル管理装置において、
複数の検索条件を記録する条件記録部と、
前記検索条件に従って前記データ記録部に記憶されたファイル内容を検索する検索プログラムと、
前記検索条件に適合したファイルをリスト化するリスト作成部と、
このリスト作成部の指示に基づいてリスト化されたファイルを前記表示部に表示する表示処理部と
を備えたことを特徴とするファイル管理装置。
【請求項２】
前記検索プログラムは、定周期に又は任意のタイミングで前記データ記録部に記憶されたファイル内容を検索することを特徴とする請求項１記載のファイル管理装置。
【請求項３】
前リスト作成部は、確認済みのファイルを表示せず又は確認済みである旨のマークを付けてリストを作成することを特徴とする請求項１又は２に記載のファイル管理装置。
【発明の詳細な説明】
【技術分野】
【０００１】
本発明は、ペーパレス記録計で取得したデータをファイルとして管理するファイル管理装置に関し、特にファイルの検索を容易に行うことができるファイル管理装置に関する。
【背景技術】
【０００２】
一般に、ペーパレス記録計は工場等に配置して使用され、各種の測定値を電子データで記録するものである。また、これらのペーパレス記録計で取得されたデータは、ネットワークを介してファイルとしてファイル管理装置に転送され、解析される。このようなファイル管理装置の先行技術文献としては次のようなものがある。
【０００３】
【特許文献１】特開平１１―３３７５８６号公報
【０００４】
以下、図７を参照して従来のファイル管理装置を説明する。ペーパレス記録計１０は、記録部１１，表示部１２，通信部１３を備える。記録部１１は測定データを記録する。表示部１２はこの測定データを表示する。通信部１３は、ネットワークＬ１を介して測定データを出力する。
【０００５】
尚、ペーパレス記録計２０，３０の構成はペーパレス記録計１０と同様なので説明を省略する。
【０００６】
一方、ペーパレス記録計１０，２０，３０で取り扱うデータは容量が多いため、後述するファイル管理装置１００にデータが記憶されたファイルを転送し、このファイル管理部１００でデータを一括して取り扱うことも行われている。以下、このファイル管理装置１００を説明する。
【０００７】
ファイル管理装置１００は、例えばパーソナルコンピュータ等で構成され、制御部１１０，通信部１２０，記録装置１３０，表示処理部１４０からなる。
【０００８】
制御部１１０は、ファイル管理装置１００全体を制御する。通信部１２０は、制御部１１０の命令に基づいて、ネットワークＬ１を介してデータを記録したファイルを取得し、記憶装置１３０に出力する。
【０００９】
記憶装置１３０は、例えばバードディスクで構成され、通信部１２０から入力されたファイルを記憶するデータ記録部１３１を備える。また、記憶装置１３０には、データを表示部２００に表示する表示プログラム１３２もインストールされている。
【００１０】
表示処理部１４０は、制御部１１０の命令に基づいて、データ記録部１３１に記録されたデータを読み込んで表示部２００に表示する。表示部２００は、表示処理部１４０の指示に基づいて測定データを表示する。
【００１１】
このように、従来のファイル管理装置１００は表示部２００にデータを表示させ、ユーザーは、この表示部２００に表示されたデータを確認して、所望のデータを確認していた。
【発明の開示】
【発明が解決しようとする課題】
【００１２】
ところで、ペーパレス記録計１０，２０，３０は、一般に測定すべきデータ量が多いため、内蔵された記録部１１，２１，３１だけでは記憶容量が足りない場合が多い。そこで、従来のペーパレス記録計１０，２０，３０は、通信部１３，２３，３３を介してファイル管理装置１００の記憶装置１３０に測定データが記憶されたファイルを転送し格納していた。
【００１３】
しかし、ファイル管理装置１００は、複数の記録計１０，２０，３０の測定データを取り扱うこととなるためデータ量が多く、更に、ペーパレス記録計１０，２０，３０の数が増えた場合、測定データの量がよりいっそう膨大になるため、従来のファイル管理装置１００では目的のファイルを探し出すのに時間がかかる問題がある。
【００１４】
本発明は、これらの問題点に鑑みてなされたものであり、データを記憶した大量のファイルの中から目的のファイルを簡単に検索できるファイル管理装置を提供することを目的とする。
【課題を解決するための手段】
【００１５】
（１）複数のペーパレス記録計で取得された測定データが記録されたファイルを記録するデータ記録部を備え、このファイルの内容を表示部に表示するファイル管理装置において、
複数の検索条件を記録する条件記録部と、
この複数の検索条件に従って前記データ記録部に記憶されたファイル内容を検索する検索プログラムと、
複数の検索条件に適合したファイルをリスト化するリスト作成部と、
このリスト作成部の指示に基づいてリスト化されたファイルを前記表示部に表示する表示処理部と
を備えたことを特徴とするファイル管理装置。
（３）前記検索プログラムは、定周期に又は任意のタイミングで前記データ記録部に記憶されたファイル内容を検索することを特徴とする請求項１記載のファイル管理装置。
（２）前リスト作成部は、確認済みのファイルを表示せず又は確認済みである旨のマークを付けてリストを作成することを特徴とする請求項１又は２に記載のファイル管理装置。
【発明の効果】
【００１６】
本発明では次のような効果がある。検索条件を記録する条件記録部と、検索プログラムを実行することにより目的のファイルをリスト化するリスト作成部を備えたので、大量のファイルの中から目的のファイルを探し出すことが容易となる。
【発明を実施するための最良の形態】
【００１７】
以下、図１を参照して本発明によるファイル管理装置の構成例を説明する。但し、図７と同様の構成については同一の符号を付して説明を省略する。本発明は、制御部１１０に新たにリスト作成部１１１を設けることを特徴とする。
【００１８】
また、記憶装置１３０は、検索条件を記録する条件記録部１３３を新たに備える他、検索プログラム１３４がインストールされている。ここで、検索プログラム１３４は、一定の周期（例えば２４時間ごと）で検索するようプログラムされたものである。尚、ユーザーは検索プログラム１３４を任意のタイミングで検索しても良い。
【００１９】
次に、図２を参照してデータ記録部１３１を説明する。左側の列はファイル番号であり、１，２，３，・・・と順にナンバリングされている。中央の列はファイル名である。右側の列は、どのペーパレス記録計１０，２０，３０のデータかを番号で表している。
【００２０】
従って、例えばファイル番号１は、ペーパレス記録計１０で取得されたファイル名が「データＡ」というファイルであることを意味する。
【００２１】
次に、図３を参照して条件記録部１３３を説明する。図３の左側の列は検索条件である。検索条件が複数あるのは、複数の作業者によって作業されるのが前提だからであり、また、同じ作業者であっても、異なる条件で測定データを取得する場合があるからである。
【００２２】
図３の右側の列は、検索すべきファイルのファイル名である。従って、例えば「検索条件１」では「データＢ」というファイル名のファイルをデータ記録部１３１から検索することとなる。
【００２３】
尚、検索条件としては例えば、
（１）最新のファイル（新たにペーパレス記録計１０，２０，３０で取得され、まだ検索されていないファイル）を検索する、
（２）上限アラームが存在するファイル（例えばアラームの発生条件を１．５Ｖ以上とした場合において、１．５Ｖ以上のデータを含むファイルが検索された場合）を検索する、等が挙げられる。
【００２４】
次に、図４のフローチャートを参照して図１の動作を説明する。まず、制御部１１０は条件記録部１３３に記録された検索条件を読み込む（ステップ１）。ここでは、説明の都合上、図３で説明した全ての検索条件（検索条件１，検索条件２，及び検索条件３）についてデータを取得するものとする。
【００２５】
なお、特定の検索条件のみが必要な場合には、当該条件のみを制御部１１０で読み込めば良い。
【００２６】
制御部１１０は検索条件１と適合するファイルを検索する（ステップ２）。検索条件１で検索すべきファイル名は「データＢ」であるので、図５のようにファイル番号２が一致する（ステップ３）。
【００２７】
リスト作成部１１１は、条件が一致した「データＢ」のファイルを表示するようにリストを作成する（ステップ４）。制御部１１０はファイル番号３以降についてもファイルを検索する（ステップ５）。全てのファイルを検索し終わると、次の条件（検索条件２）についても検索を開始する（ステップ６，ステップ１）。
【００２８】
図３の例によれば、検索条件２は、データＦのファイルを検索することとなっているので、ステップ１からステップ５で説明した場合と同様の手順で検索を実行する。検索条件３についても同様である。
【００２９】
図６は、リスト作成部１１１が作成したリストの例である。リストの左側の列はファイル番号であり、中央の列はファイル名である。これらのファイル番号・ファイル名は検索条件１，２，３と一致したものがリスト化されていることが分かる。
【００３０】
図６の右側の列にある「ファイル属性」について説明する。ファイル番号２の行の「取得時刻０７.０８.２２  １５：１６」は、測定データが取得された時刻が、２００７年８月２２日，１５時１６分であることを表示している。また、その右隣の「記録計１０」という表示は、記録計１０で取得されたデータであることを示す。
【００３１】
更に、その隣の「１２３４５６７８」は測定データの内容である。尚、図示を省略しているが、例えばペーパレスレコーダ１０，２０，３０のＩＤ等を併せて表示しても差し支えない。
【００３２】
リスト作成部１１１は、このように表示部２００に表示するリストを作成し、表示処理部１４０にその旨を指示する。表示処理部１４０はリスト作成部１１１から指示された信号に基づいて、表示位置を調節する等の表示処理を行い、表示部２００にリストを表示させる。
【００３３】
また、このようにして表示部２００に表示されたリストは、ユーザーにより内容が確認される。尚、確認済みのファイルは、次回以降表示しないようにし、又はチェック済みのマークを表示させ、重複した表示を防止することもできる。つまり、未確認のファイルのみを表示部２００に表示することにより、ユーザーによる検索と確認を容易とする。
【００３４】
このように、検索条件を記録する条件記録部１３３と、検索プログラム１３４を実行することにより目的のファイルをリスト化するリスト作成部１１１を備えたので、大量のファイルの中から目的のファイルを探し出すことが容易となる。
【００３５】
また、条件記録部１３３は複数の条件を記録できるので、複数のユーザーで使用してもファイルの検索が容易となる。
【００３６】
次に、本発明の応用例を説明する。ユーザーは、ファイル管理装置１０１のシステムを立ち上げる際にユーザーＩＤを入力し認証を行う。また、条件記録部１３３には、このユーザーＩＤに対応した検索条件を記憶する。他の構成と動作は、図１と同様なので説明を省略する。
【００３７】
このように、ユーザーＩＤと検索条件を対応付けることにより、ユーザーごとに検索条件が異なっても検索効率が向上する。
【図面の簡単な説明】
【００３８】
【図１】本発明のファイル管理装置の構成図である。
【図２】データ記録部１３１にどのようにファイルが記録されるか示した表である。
【図３】条件記録部１３３に設定される検索条件である。
【図４】図１の動作のフローチャートである。
【図５】検索条件とデータ記録部１３１に記録されたファイルを対比した結果である。
【図６】リスト作成部１１１で作成されるリストである。
【図７】従来のファイル管理装置の構成図である。
【符号の説明】
【００３９】
１０，２０，３０      ペーパレス記録計
１０１        ファイル管理装置
１１０        制御部
１１１        リスト作成部
１２０        通信部
１３０        記憶装置
１３１        データ記憶部
１３２        表示プログラム
１３３        条件記録部
１３４        検索プログラム
１４０        表示処理部
２００        表示部
【図１】
2010085342.tif 000003
【図２】
2010085342.tif 000004
【図３】
2010085342.tif 000005
【図４】
2010085342.tif 000006
【図５】
2010085342.tif 000007
【図６】
2010085342.tif 000008
【図７】
2010085342.tif 000009